(57)【特許請求の範囲】
【請求項１】
ゴルフパッティング器具であって、
展開された状態で細長い平面を形成するように構成された可撓性材料製のパターマット部材と、
前記パターマット部材上に形成された第１の取付機構と、
前記パターマット部材の端部まで移動して来たボールが重力により落とされる空洞部を画定する第１の壁を有する可搬体ユニットとを含み、
前記第１の壁の上面が、前記パターマット部材の前記第１の取付機構に結合する第２の取付機構上部を有し、前記第１の壁の側面が、保管のために前記第１の壁の周りに前記パターマット部材を巻き付けるときに前記第１の取付機構に結合する第２の取付機構側部を有することを特徴とする器具。
【請求項２】
前記可撓性材料が、スプリングテンパーステンレス鋼、スプリングテンパー青銅、スプリングテンパー真鍮、スプリングテンパー銅のうちの少なくとも１つであることを特徴とする請求項１に記載の器具。
【請求項３】
前記パターマット部材の幅が、約２インチ（５．０８ｃｍ）であることを特徴とする請求項１に記載の器具。
【請求項４】
前記可撓性材料が、鏡面を含むことを特徴とする請求項１に記載の器具。
【請求項５】
前記第１の取付機構が、前記パターマット部材の一端付近に配置された鉤状部材であり、
前記第２の取付機構上部及び前記第２の取付機構側部が、前記鉤状部材が係入する切欠溝であることを特徴とする請求項１に記載の器具。
【請求項６】
ゴルフパッティング器具であって、
展開された状態で細長い平面を形成するように構成された可撓性材料製のパターマット部材と、
前記パターマット部材に着脱可能に結合するように構成された可搬体ユニットであって、該可搬体ユニットが第１の壁を有し、該第１の壁の周りに前記パターマット部材が巻き付けられて保管されるように構成されており、かつ前記第１の壁が空洞部を画定し、該空洞部が、前記パターマット部材の端部まで移動して来たボールを捕捉するように構成された該可搬体ユニットと、
前記第１の壁を取り囲み、かつ前記第１の壁との間に空間が形成されるように前記第１の壁から離間されている第２の壁とを含み、
前記第１の壁及び前記第２の壁が、互いに対して同軸回転するように構成されていることを特徴とする器具。
【請求項７】
前記第１の壁及び前記第２の壁が、その断面が同心円を含むように配置されていることを特徴とする請求項６に記載の器具。
【請求項８】
前記第１の壁が、基部から一体的に延出するように構成されていることを特徴とする請求項６に記載の器具。
【請求項９】
前記第１及び第２の壁に対して垂直に延在しかつ前記第２の壁と一体化された上壁を有することを特徴とする請求項６に記載の器具。
【請求項１０】
前記第１の壁が切欠開口を含み、前記第２の壁が開口部を含み、前記切欠開口及び前記開口部が互いに整合されることにより、前記空洞部に至る窓孔が形成されるように構成されていることを特徴とする請求項６に記載の器具。
【請求項１１】
前記第１の壁上の取付機構を露出させる開口部を前記第２の壁にさらに含み、それによって、前記パターマット部材を前記第１の壁に取り付けることを可能にせしめ、さらに前記第１の壁に対する前記第２の壁の回転により前記パターマット部材を前記第１の壁に巻き付けることを可能にせしめたことを特徴とする請求項６に記載の器具。
【請求項１２】
前記第２の壁に対して上壁を介して連結されかつ前記空洞部に収まるように構成された第３の壁をさらに含み、
前記第１の壁が、前記第２の壁と前記第３の壁の間に配置されていることを特徴とする請求項６に記載の器具。
【請求項１３】
前記第３の壁の一端から他端まで延在してカップを形成する底面をさらに含むことを特徴とする請求項１２に記載の器具。
【請求項１４】
前記第３の壁が、前記カップ内から外へボールが転がり出ることを可能にする内側開口部を含み、
前記底面が、その最も低い部分が前記内側開口部の近くに位置するように傾斜していることを特徴とする請求項１３に記載の器具。
【請求項１５】
前記空洞部を開閉するように構成されたラッチ部材をさらに含むことを特徴とする請求項１に記載の器具
【請求項１６】
前記パターマット部材が、該パターマット部材上で使用されるべきボールよりも１７〜２５％広い幅を有するように構成されていることを特徴とする請求項１に記載の器具。
【請求項１７】
前記可撓性材料が、巻き上げ時の癖が残ることなく、巻き上げられ、かつ平らに伸ばせるスプリングテンパー金属または金属合金を含むことを特徴とする請求項１に記載の器具。
【発明の詳細な説明】
【技術分野】
【０００１】
関連出願
本願は、２０１４年６月１３日に出願された米国特許出願第１４／３０４，６６４号の利益を主張する。当該出願の内容は、引用を以って本明細書の一部となす。
【０００２】
技術分野
本願は、ゴルフパッティング器具に関する。詳細には、ゴルフパッティング器具であって、平らに広げて使用することができかつゴルフパッティング器具内に格納することもできるパターマット部材を含むゴルフパッティング器具に関する。
【背景技術】
【０００３】
ゴルフは、今日あらゆる年代の男女が楽しめる非常に人気のあるスポーツである。特に、狭い空間で多くの時間を費やしかつ／または多忙なスケジュールに追われているような都市生活者にとって、ゴルフコースに出ることは、多くの理由から魅力的である。ゴルフコースが広大な緑豊かな開けた土地であるという事実は、多くのプレーヤーに対する訴求力を高めているが、ゴルフというスポーツのまさにその側面がゴルフの練習を困難にすることもある。例えば、ゴルフ練習場やゴルフコースで練習をするには、必然的に、嵩張るゴルフ用具を持ってそこまで赴くことが必要になる。プレーヤーがゴルフ練習場やゴルフコースからどれだけ離れているかによって、仕事の短い休み時間や昼休みに軽く練習することができる場合もあればできない場合もある。
【０００４】
この問題に対処するために、今日では、個人がゴルフコースに赴かずとも練習することを可能にする種々のゴルフ練習器具が市販されている。また、特許文献１には、ボールに係合するカラーと、カラーに巻きつけて保管できる可撓性直線トラックとを備えるパッティング練習装置が記載されている。特許文献２には、カップが設けられた穴を有するパッティングマットと、パッティングマットを巻きつけ可能なロールとを備えるパッティング練習用装置が記載されている。これらの器具は、或る程度の練習時間を簡便迅速に捻出できるように、屋内使用向けに設計されているものが多い。パッティングは、ボールが高くまたは遠くに飛ばないので、屋内練習に特に適している。
残念ながら、現在市販されているゴルフパッティング練習器具は、一般的に、嵩張っていて可搬性に欠ける。さらに、そのようなゴルフパッティング練習器具の多くのパターマットは、大抵は、ゴルファーのパッティング能力の限界を押し広げるように最適化されてはいない。それどころか、多くの練習器具は、実際のコースよりも難易度が低いので、そのような練習器具を使用していると、自身のスキルレベルに対する感覚が歪んでしまう。このため、屋内器具で練習した後に自信を持ったゴルファーは、ゴルフコースでのスコアが期待したほど良くない理由に関して釈然としない思いを抱く羽目になりかねない。
【先行技術文献】
【特許文献】
【０００５】
【特許文献１】米国特許第７１４０９７１号明細書
【特許文献２】国際公開第２００９／００５４３４号
【発明の概要】
【発明が解決しようとする課題】
【０００６】
したがって、使い易く、かつゴルファーのスキルレベルを高めるように設計されたゴルフパッティング練習器具が必要とされている。
【課題を解決するための手段】
【０００７】
一態様では、本発明は、持ち運び可能なゴルフパッティング器具に関連する。この器具は、展開された状態で細長い平面を形成するように構成された可撓性材料製のパターマット部材を含む。パターマット部材は、可搬体ユニットに着脱可能に結合されるように構成されている。可搬体ユニットは第１の壁を有し、該第１の壁の周りにパターマット部材が巻き付けられて保管され、かつ第１の壁が空洞部を画定し、該空洞部が、パターマット部材の端部まで移動して来たボールを捕捉するように構成されている。
【０００８】
任意選択で、可搬体ユニットは、第１の壁に巻き付けられたパターマット部材を収容するための空間を形成するべく、第１の壁を取り囲む第２の壁を有することもできる。第１の壁及び第２の壁を互いに対して（例えば逆方向に）回転させることによって、第２の壁の内側の第１の壁の周りにパターマット部材を巻き付けることができる。
【図面の簡単な説明】
【０００９】
【図１Ａ】本発明の一実施形態に係るパターマット部材の上面図を示す。
【図１Ｂ】本発明の一実施形態に係るパターマット部材の底面図を示す。
【図１Ｃ】本発明の一実施形態に係るパターマット部材の側面図を示す。
【図２】本発明のパターマット部材を使用しているゴルファーを示す。
【図３】パターマット部材に着脱可能に結合することができる可搬体の第１の実施形態を示す。
【図４Ａ】パターマット部材に着脱可能に結合することができる可搬体の第２の実施形態を示す。
【図４Ｂ】図４Ａに示した可搬体の水平断面図を示す。
【図５】本発明の一実施形態に係る可搬体の２つの構成要素を示す。
【図６】本発明の別の実施形態に係る可搬体の２つの構成要素を示す。
【図７】可搬体に結合された本発明のパターマット部材を使用しているゴルファーを示す。
【図８Ａ】パターマット部材に着脱可能に結合することができる、２つの構成要素に分かれた可搬体の第３の実施形態を示す。
【図８Ｂ】図８Ａの２つの構成要素の底面図を示す。
【図８Ｃ】図８Ａに示した可搬体の実施形態の水平断面図を示す。
【図９Ａ】ラッチ部材を含み、該ラッチ部材が開位置をとっている本発明の可搬体の一実施形態を示す。
【図９Ｂ】ラッチ部材が閉位置をとっている図９Ａの可搬体を示す。
【発明を実施するための形態】
【００１０】
持ち運び及び保管が容易なパッティング練習器具が示される。本開示は、説明を明瞭かつ簡単にするために、本発明の幾つかの実施形態に焦点を当てているが、本明細書に示されている実施形態は包括的なものではなく、本発明を実施することができる方法は他にも数多く存在することを理解されたい。
【００１１】
図１Ａは、本発明の一実施形態に係るパターマット部材１０を示している。本実施形態のパターマット部材１０は、細長い可撓性材料片であり、巻くか、折りたたむか、または別な方法でコンパクトな形態に形成して保管することができ、かつ広げて使用することができる。使用中、パターマット部材１０は、図２に示されているように、パッティンググリーンとして機能する。ゴルファーは、パターマット部材１０上にボール５（例えばゴルフボール）を置き、自身のゴルフクラブでボールを打ってパターマット部材１０の端まで転がす。パターマット部材１０は、任意の適切な長さｌを有することができ、何らかの特定の寸法に限定されるものではない。ゴルファーは、望ましい距離で自身のパッティングスキルを向上させるために、パターマット部材１０上の好きな場所にボールを置くことができる。ゴルフの試合中にパットする頻度が多い距離の範囲が含まれるように、パターマット部材１０の長さを約５フィート（約１．５２４メートル）にすることができる。
【００１２】
パターマット部材１０を用いて練習する場合の１つの目標は、ボールをパターマット部材１０から外れないようにすることである。打ったボールがパターマット部材１０から離れた（すなわち、意図する方向から外れた）ならば、それは暗に、何らかの形でユーザのスイングが良くなかったことをユーザに示している。グラウンド上に凹凸や傾斜がない限りボールは通常真っ直ぐに進むので、パターマット部材１０は真っ直ぐに延びている。パターマット部材１０の幅ｗは、想定される難易度に応じて、広くしても狭くしてもよい。パターマット部材１０が幅広であればあるほど、ユーザはボールをパターマット部材１０から外れないように意図した方向に完璧に打つ必要がないので、難易度が低くなる。ゴルフの初心者は、より幅の広いパターマット部材１０を用いてパッティング練習をすることにより、自身のスイングに対してボールがどのように反応するかの「感覚」を掴むことができる。ゴルフの上級者は、幅の狭いパターマット部材１０を用いることができるが、その場合、些細な判断ミス、集中力の低下、またはショートパット恐怖症のせいで、ボールがパターマット部材１０から転がり出る可能性がある。一実施形態では、パターマット部材１０の幅ｗは約２インチ（５．０８ｃｍ）であってよい。平均的なゴルフボールの径が約１．６〜１．７インチ（４．０６４〜４．３１８ｃｍ）であることを考えれば、パターマット部材１０の幅が２インチ（５．０８ｃｍ）であれば、誤差範囲は１７〜２５％となる。
【００１３】
図１Ａ及び図１Ｂに示されているように、パターマット部材１０は、第１の面１４及び第２の面１６を有し得る。第１の面１４は、図２に示したような、使用中に上向きになっている面であり得る。第２の面１６は、グラウンドに接触する面、すなわち第１の面１４とは反対の面であり得る。図１Ａに示したように、ユーザのスイングをガイドするために、第１の面１４の全ての部分または選択された部分上にマーク１２を設けることができる。この特定の実施形態では、マーク１２は、パターマット部材１０の長辺に対して垂直に引かれた線を含む。多くのゴルファーが、狙ったボールの進行方向に対してクラブフェースを垂直に維持しようとするので、例えばバックスイング中にクラブフェース面をマーク１２と一直線になるように維持すれば、通常、ボールはパターマット部材１０を進んで行くことになる。したがって、ユーザは、クラブフェースがマーク１２に対して何らかの角度で傾いていないかを確かめるなどして、自身のバックスイングを評価することができる。「クラブフェース」は、本明細書においては、ボールを動き出させるために意図的にボールに接触させるゴルフクラブ表面を意味するものとする。いくつかの別の実施形態では、パターマット部材１０上のマーク１２はなくてもよい。
【００１４】
パターマット部材１０は、鏡面性を有する材料、例えば金属製であってよい。いくつかの実施形態では、第１の面１４のみが鏡面であってもよい。第１の面１４が鏡面特性を有していることにより、ゴルファーは、ボールに対する自身の体の向き（アライメント）を確認することができる。多くのゴルファーは、パッティング中に、目の位置がボールの真上にくるようにすることによって、ボールに対するアライメントを追求する。第１の面１４が鏡面特性を有していることにより、ゴルファーは、頭を上げずに目線がボールに合っていることを確認することができ、スイング中に頭を過度に動かしていないかを確認することもできる。
【００１５】
力を受けた際のボールの感度を高めるために、パターマット部材１０の表面を滑らかにすることができる。必要に応じて、パターマット部材１０の表面に質感を持たせて様々なグリーンコンディションをシミュレートできるようにしてもよい。パターマット部材１０を、平面を形成するように広げることができ、かつ保管のために巻くかまたは別な方法でコンパクトな形状にすることができる限り、パターマット部材１０の厚さは何らかの特定の寸法に限定されるものではない。
【００１６】
パターマット部材１０は、その一部または全部において、スプリングテンパー（spring-tempered）金属または金属合金製、例えば、スプリングテンパーステンレス鋼製、スプリングテンパー青銅製、スプリングテンパー真鍮製、またはスプリングテンパー銅製などであってよい。スプリングテンパー金属または合金（例えば、ステンレス鋼、青銅、真鍮、または銅）は、パターマット部材１０を巻くかまたは別な方法でコンパクトにして保管すること、及び保管時の癖が残ることなくパターマット部材を平らに伸ばすことを可能にする。ほとんどのゴルファーは、パッティング練習をしないときに長さ５フィート（１．５２４メートル）のパターマット部材１０が床に広がっていることを望んではいないので、上記のことは望ましい。スプリングテンパーステンレス鋼、真鍮、青銅または銅は、鏡面性を有するという理由においても、本願にとって適切な選択肢である。上記のように、表面の鏡面特性により、ユーザは自身のスイングを容易に評価することができる。パターマット部材１０は、ボールがパターマット部材１０の上を転がっているときにしわが寄ったり折り目がついたりしないように十分に重いものであるべきである。パターマット部材１０は、スプリングテンパー金属または金属合金に限らず、任意の適切な材料であって、保管時に癖が付かず、上記したような鏡面特性及び重量を有するものから製造することができる。いくつかの実施形態では、パターマット部材１０の一端または別の部分におもりを取り付けることができる。
【００１７】
図１Ｂは、パターマット部材１０の第２の面１６を示している。図のように、第２の面１６には第１の取付機構１８を形成することができる。図示されているこの特定の実施形態では、第１の取付機構１８が第２の面１６の一端付近に形成されている。しかし、このことは本発明の限定事項ではない。以下においてより詳細に説明するように、第１の取付機構１８は、可搬体１００へのパターマット部材１０の取り付けを可能にする。
【００１８】
図１Ｃは、一実施形態に係るパターマット部材１０の側面図である。この特定の実施形態では、第１の取付機構１８は、パターマット部材１０の一端に形成された鉤状部材である。第１の取付機構１８は、マーク１２を有していないパターマット部材１０の第１の端部付近に形成することができる。パターマット部材１０の第２の端部には、傾斜構造１９を設けることができ、傾斜構造１９の助けによりパターマット部材１０の第２の端部が持ち上げられて、なだらかな傾斜面が形成される。パターマット部材１０の第２の端部のなだらかな傾斜面は、マーク１２を常に持ち上げているので、ゴルファーがバックスイング中にマーク１２を見てスイング中にクラブヘッドを曲線軌道にのせることを容易にする。したがって、傾斜構造１９が存在しなかった場合に比べて、クラブヘッドはマーク１２から遠く離れていない。図示されているこの特定の実施形態では、傾斜構造１９はパターマット部材１０の折返し端を含む。しかし、このことは本発明の限定事項ではなく、様々な他の構造を用いて傾斜面を形成することができる。
【００１９】
図３は、パッティング練習のためにパターマット部材１０を着脱可能に結合させることができる多機能可搬体１００の一実施形態を示している。可搬体１００は、基部４０上に設けられた第１の壁２０を含む。第１の壁２０によって空洞部２２が画定され、空洞部２２は、図３に示されているような円形形状を有することができる。図のように、可搬体１００は、第１の取付機構１８に結合するように設計された第２の取付機構５３ａ，５３ｂ（集合的に第２の取付機構５３と呼ぶ。）を含む。この特定の実施形態では、第２の取付機構５３ａは、可搬体１００の上面２９上に形成されている。
【００２０】
パターマット部材１０をパッティング練習に使用するときには、第１及び第２の取付機構１８，５３ａを互いに結合させることによって、可搬体１００にパターマット部材１０を取り付ける。一実施形態では、第１の取付機構１８は鉤状部材であり、第２の取付機構５３は鉤状部材を係入可能な切欠溝であってよい。パッティングを練習するために、ゴルファーは、図７に示されているように、切欠溝５３に鉤状部材１８を掛止して、パターマット部材１０に沿ってボールを打つ。方向及び力が正しければ、ボールはパターマット部材１０を進んで行って空洞部２２に落ちることになり、空洞部２２はパッティンググリーンの「ホール」として有効に機能する。第１及び第２の取付機構１８，５３は、パターマット部材１０が吸い付く磁石、ベルクロ（登録商標）、または任意の他の締結手段を含むことができる。様々な取付機構の任意の組合せを用いて、可搬体１００にパターマット部材１０を固定することができる。
【００２１】
パターマット部材１０がパッティング練習に使用されていない（例えば保管されている）とき、空洞部２２を用いてボールを格納することができる。パターマット部材１０を使用していないとき、第１の壁２０の周りにパターマット部材１０をリボンのように巻き付けて保管することができる。第１の壁２０の外面上に第２の取付機構５３ｂを形成することができ、それによって、パターマット部材１０を片付けるべき時間になったら、ゴルファーは、パターマット部材１０を第２の取付機構５３ａから取り外してもう一方の第２の取付機構５３ｂに結合させることができる。そのようにすることで、パターマット部材１０の一端が可搬体１００に固定されるので、パターマット部材１０の残りの部分を第１の壁２０に巻き付けることが容易になる。パターマット部材１０を巻かれた状態に維持するための機構、例えば、第１の壁２０にぴったりと合うバンド、マグネットクリップ、ベルクロ（登録商標）ストリップなどを設けてもよい。
【００２２】
図４Ａ及び図４Ｂは、パターマット部材１０に結合可能な可搬体１００の別の実施形態を示している。本実施形態は、２つの環状壁層、すなわち、同軸上に配置された第１の壁２０及び第２の壁３０を含み、両壁間には空間３５が形成されている。第１の壁２０及び第２の壁３０は、第１の壁２０（より小さい方の壁）が第２の壁３０に取り囲まれかつ第２の壁３０から離間されるようにして同心円状に配置された、互いに異なる径を有する環状壁である。
【００２３】
図４Ａに示した可搬体１００の水平断面を示す図４Ｂにおいて、第１の壁２０と第２の壁３０との間の空間３５が示されている。パターマット部材１０は、使用されていないときに、第１の壁２０に巻き付けて空間３５内に格納することができる。パターマット部材１０を取り囲む第２の壁３０は、パターマット部材１０を巻かれた状態に維持するとともに外部環境から保護する。図４Ａ及び図４Ｂに示した２枚の壁を有する実施形態は、２つの壁を、例えば図４Ｂに矢印で示されているように互いに逆方向に、それぞれ独立して回転できるようにすることによって、ユーザが容易にパターマット部材１０を巻けるようにするというさらなる利点を与える。
【００２４】
図５は、図４Ａに示した２枚の壁を有する可搬体１００の実施態様を示している。図のように、第１の構成要素１８１を第２の構成要素１８２と組み合わせることによって可搬体１００を組み立てることができる。この特定の実施形態では、第１の構成要素１８１は、第２の壁３０及び上壁３６を含み、上壁３６上には第２の取付機構５３ａが形成されている。第２の構成要素１８２は、基部４０、第１の壁２０、及び第１の壁２０に形成された第２の取付機構５３ｂを含む。第１の構成要素１８１及び第２の構成要素１８２は各々、少し撓む硬質材料製、例えばプラスチック製の一体部品であってよい。第１及び第２の構成要素１８１，１８２は、図４Ｂに示したように、互いに対して回転可能であるように組み合わせることができ、ユーザは、一方の手で第１の構成要素１８１を掴み、もう一方の手で基部４０を掴み、これらを互いに逆方向に回転させる。例えば、第１の壁２０を（矢印で示されている）時計回りに回転させる一方で、第２の壁３０を静止したままにするかまたは反時計回りに回転させることも、その逆にすることも可能である。巻き付けが完了したときには、パターマット部材１０全体が可搬体１００の空間３５内に収容されていることになる。
【００２５】
パターマット部材１０を、しっかり固定して格納するために、第１の壁２０に巻き付けてかつ第２の壁３０で包み込むことができる。図５の実施形態では、第２の壁３０は第１の部材１８１の上壁３６に結合しており、第１の壁２０は第２の部材１８２の基部４０に結合している。第１及び第２の部材は、対になって可搬体１００を形成する。いくつかの実施形態では、上壁３６は、第１の壁２０と一体化したものであってよい。
【００２６】
図４Ａ、図４Ｂ及び図５の、２枚の壁を有する実施形態においては、第２の壁３０に開口部３４が形成されている。開口部３４は、取付機構５３ｂが開口部３４と整合されたときに取付機構５３ｂが露出されるように、第２の壁３０に形成されている。上記のように、第２の取付機構５３ａは、空洞部２２付近にも第２の壁３０上（または恐らく２つの表面が互いに接する縁部上）にも形成することができる。上述のように、パターマット部材１０は、パッティング練習のためには第２の取付機構５３ａに、保管のためには第２の取付機構５３ｂに、それぞれ結合させることができる。第１の壁２０（内側の壁）に形成された第２の取付機構５３ｂを利用するために、第１の取付機構１８を有する側のパターマット部材１０の端部を開口部３４から中に入れる。例えば、ユーザは、パターマット部材１０を握って開口部３４から手を入れるか、またはパターマット部材１０を開口部３４へ案内することができる。その後、第１の取付機構１８が第２の取付機構５３ｂにしっかりと固定された状態で、第１の壁２０及び第２の壁３０を互いに対して回転させることによって、パターマット部材１０が巻かれて保管される。
【００２７】
図６は、可搬体１００の別の実施形態を示しており、第１の壁２０には切欠開口２４が含まれている。切欠開口２４と、第２の壁３０に形成された開口部３４とを整合させると、窓孔が形成され、該窓孔を通ってボールが空洞部２２から転がり出ることができる。基部４０の上面に傾斜を設けて、空洞部２２に落ちたボールが切欠開口２４に転がり落ちるようにしてもよい。パッティング練習中に、ゴルファーが、第１の壁２０の切欠開口２４と開口部３４とが整合したままにしておけば、或るボールが空洞部２２に落ちたときに、次のパットのためにそのボールが自動的に転がり出るかまたは空洞部２２内の他のボールのうちの１つが窓孔を通って押し出されることになる。
【００２８】
図７は、可搬体１００に結合されたパターマット部材１０を使用しているゴルファーを示している。可搬体１００のどの実施形態でも図のように用いることができる。
【００２９】
図８Ａ及び図８Ｂは、本発明に係る可搬体１００の別の実施形態を示している。この特定の実施形態では、可搬体１００は３つの壁を有している。より具体的には、第１の壁２０及び第２の壁３０に加えて、第３の壁５０が存在する。この特定の実施形態では、３つの壁は環状でありかつ同心円状に配置されている。本実施形態の第２の構成要素１８２は、図６の実施形態の第２の構成要素１８２と実質的に類似している。しかし、本実施形態の第１の構成要素１８１においては、第３の壁５０及び底面３８によってカップが形成されている。第２の壁３０及び第３の壁５０は、上壁３６によって互いに結合されていてもよい。
【００３０】
この特定の実施形態では、底面３８は空洞部２２の一部に延在し、カップの「床面」を形成している。第３の壁５０は、内側開口部５６を有することができ、内側開口部５６を切欠開口２４及び開口部３４に整合させることで、パッティング練習中にボールがカップから押し出されるようにすることができる。底面３８を、内側開口部５６付近の部分が他の部分よりも低くなるように傾斜させて、カップ内のボールが内側開口部５６に向かって転がるようにしてもよい。いくつかの実施形態では、カップの底面３８は、その周縁部に沿って形成された堀及び他のパターンを含むことができる。堀は、環状凹部として形成してもよい。カップがパターマット部材１０の端でカップインしたボールを捕捉するように構成されている限り、本発明は、カップの如何なる形状、位置、材料、またはパターンにも限定されるものではない。堀は、例えば、器具を製造するのに必要な材料の量を減少させるように形成することができる。
【００３１】
図８Ｂは、第１の構成要素１８１及び第２の構成要素１８２の底面図を示している。第１及び第２の構成要素１８１，１８２が互いに組み合わされているとき、第１の壁２０は、第２及び第３の壁３０，５０間に収まっている。
【００３２】
図８Ｂに示されているように、基部４０の外縁に沿って複数のグリップ補助部４８を形成することができる。半球形の切欠き４８は、パターマット部材１０を巻くときに第２の構成要素１８２を回転させるためのフィンガグリップホルダとして働く。
【００３３】
図８Ｃは、図８Ａ及び図８Ｂに示した３枚の側壁を有する可搬体１００の水平断面図である。図のように、第３の壁５０は、空洞部２２に収まるように第１の壁２０よりも径が小さく、かつボール保持区画部分５８を形成している。パターマット部材１０は、保管されるとき、第１の壁２０と第２の壁３０との間の空間３５に収まる。第２の壁３０及び第３の壁５０は、（例えば上壁３６によって）互いに結合されているので、図８Ｃに矢印で示されているように、共に同一方向に変位する。
【００３４】
図９Ａ及び図９Ｂは、ラッチ部材６０を含む可搬体１００の一実施形態を示しており、ラッチ部材６０を閉じることによって、保管中や運搬中にボールが転がり落ちないようにボールを空洞部２２内で固定することができる。ラッチ部材６０を閉じた状態にしておけば、ボールを紛失することなく可搬体１００を任意の姿勢で保管したり持ち運んだりすることができる。第２の取付機構５３ａは、図９Ａに示されているように第１の構成要素１８１上に直接形成する代わりに、ラッチ部材６０上に形成してもよい。第２の壁３０に結合されている上壁３６上に、ラッチ部材６０を載せるための凹部２３を形成することができる。ラッチ部材６０を閉位置において「ロック」するために、何らかの機構（図示せず）、例えば、数ある可能性の中で、磁石、ベルクロ（登録商標）、（例えば、所定の位置に「留める」ための）機械式ロック、または何らかの形の粘着性表面を組み入れることができる。
【００３５】
図９Ａの実施形態では、ラッチ部材６０は、第１の壁２０の上端にヒンジによって取り付けられている。ラッチ部材６０は、開閉のためにヒンジを軸に回動するように構成されている。器具がパッティング練習に使用されていないときには、ボールを空洞部２２内に入れておき、ラッチ部材６０が、図９Ｂに示されているような閉位置をとることによりボールが外に出ることを防止することができる。パッティング練習中には、ラッチ部材６０は、図９Ａに示されているような「開」位置をとることができ、パターマット部材１０を第２の取付機構５３ａに取り付けることができる。それにより、さらに難易度の高いなだらかな上向きの勾配が、ホール（空洞部２２）の直前に現れる。
【００３６】
ここまで本明細書において、本発明について特定の例示的な実施形態を参照して説明してきた。しかし、以下の特許請求の範囲に記載されている本発明のより広範な趣旨及び範囲から逸脱することなく、様々な変更形態及び変化形態が可能であることは、明白であろう。したがって、本明細書及び図面は、例示であって限定ではないと看做されるべきである。本発明の他の実施形態についても、本明細書の考察及び本明細書に開示されている概念の実践から、当業者に明らかであろう。
【図１Ａ】
0006653321.tif 000002
【図１Ｂ】
0006653321.tif 000003
【図１Ｃ】
0006653321.tif 000004
【図２】
0006653321.tif 000005
【図３】
0006653321.tif 000006
【図４Ａ】
0006653321.tif 000007
【図４Ｂ】
0006653321.tif 000008
【図５】
0006653321.tif 000009
【図６】
0006653321.tif 000010
【図７】
0006653321.tif 000011
【図８Ａ】
0006653321.tif 000012
【図８Ｂ】
0006653321.tif 000013
【図８Ｃ】
0006653321.tif 000014
【図９Ａ】
0006653321.tif 000015
【図９Ｂ】
0006653321.tif 000016